(57)【要約】【課題】  パソコン等と常時接続した状態で、スピーカに出力するオーディオ信号を容易に切り替えることができるオーディオ録音再生装置を提供する。【解決手段】  入力端子２または再生手段９のいずれか一方を選択的に増幅手段１０に接続するスイッチ手段１１を備える。スイッチ手段１１が入力端子２と増幅手段１０を接続している場合、パソコン等の外部入力信号をスピーカに出力し、再生手段９と増幅手段１０を接続している場合、内部の再生信号や録音モニタ信号をスピーカに出力する。これによってパソコン等と常時接続した状態であっても、スピーカに出力する信号を容易に切り替えることができる。【選択図】  図２
2005339723.tif 000002
【特許請求の範囲】
【請求項１】
オーディオ信号が外部から入力される入力端子と、オーディオ信号を情報として記録する記録手段と、記録された情報をオーディオ信号として出力する再生手段と、オーディオ信号を増幅する増幅手段と、増幅されたオーディオ信号を外部に出力するスピーカ端子と、を備えるオーディオ録音再生装置であって、
入力端子または再生手段のいずれか一方を選択的に増幅手段に接続するスイッチ手段を備えることを特徴とするオーディオ録音再生装置。
【請求項２】
記録手段および再生手段を録音再生部として一体に構成するとともに、
入力端子、スピーカ端子、増幅手段およびスイッチ手段を充電台として一体に構成し、
これら録音再生部および充電台を着脱可能にしたことを特徴とする請求項１に記載のオーディオ録音再生装置。
【発明の詳細な説明】
【技術分野】
【０００１】
この発明は、音楽データ等のオーディオ信号を情報として記録し、再生するオーディオ録音再生装置に関する。
【背景技術】
【０００２】
近年、パソコンとオーディオ録音再生装置を接続して録音再生システムを構成し、活用することが増えてきている。
【０００３】
一般的なオーディオ録音再生装置は、例えばＭＤ等の記録媒体に記録されている音楽データを読み出してオーディオ信号に変換し、ライン出力端子に供給するとともに、内部のアンプを介してスピーカ出力端子に供給する。一方で、ライン入力端子に外部からのオーディオ信号を入力してＭＤ等の記録媒体に音楽データとして記録することもできる。
【０００４】
また、一般的なパソコンはオーディオ信号入力端子とオーディオ信号出力端子（もしくはスピーカ出力端子）を備えている。パソコンでは録音再生アプリケーション等で信号処理を行い、ハードディスクに音楽データとして記録したり、記録した音楽データを再生することができる。
【０００５】
上記のようなオーディオ装置とパソコンを接続し、録音再生システムを構成すると、例えばパソコンの録音再生信号をスピーカから出力したい場合にはパソコンの出力端子とスピーカとを接続する。一方、パソコンで再生し、オーディオ装置で録音したい場合にはパソコンの出力端子とオーディオ装置の入力端子を接続し、スピーカにはオーディオ装置のスピーカ端子を接続する。つまり、その都度接続を切り替えなければならない煩わしさがある。
【０００６】
そこで、接続を容易に切り替えることができるセレクタ装置が考えられている（たとえば特許文献１参照）。
【特許文献１】特開平７−９９６２６号公報
【発明の開示】
【発明が解決しようとする課題】
【０００７】
しかしながら、特許文献１に記載のセレクタ装置は、複数の再生機器から１つの録音再生機器に対する接続の切り替えを容易にするものであって、相互に録音再生を行う録音再生システムを構成する場合には使用できなかった。
【０００８】
また、セレクタ装置という録音再生装置以外の装置を必要とし、複雑な録音再生システムを構成することになるという問題があった。
【０００９】
本発明は、パソコン等の録音再生機器を常時接続した状態で、スピーカに出力するオーディオ信号を容易に切り替えることができるオーディオ録音再生装置を提供することを目的とする。
【課題を解決するための手段】
【００１０】
請求項１の発明は、オーディオ信号が外部から入力される入力端子と、オーディオ信号を情報として記録する記録手段と、記録された情報をオーディオ信号として出力する再生手段と、オーディオ信号を増幅する増幅手段と、増幅されたオーディオ信号を外部に出力するスピーカ端子と、を備えるオーディオ録音再生装置であって、入力端子または再生手段のいずれか一方を選択的に増幅手段に接続するスイッチ手段を備えることを特徴とする。
【００１１】
請求項２の発明は、記録手段および再生手段を録音再生部として一体に構成するとともに、入力端子、スピーカ端子、増幅手段およびスイッチ手段を充電台として一体に構成し、これら録音再生部および充電台を着脱可能にしたことを特徴とする。
【００１２】
この発明におけるオーディオ録音再生装置は、パソコン等の録音再生機器と常時接続して録音再生システムを構成し、パソコン等からの外部入力信号とオーディオ録音再生装置内部の再生信号をスイッチ手段により選択的にスピーカに出力する。
【００１３】
また、この発明におけるオーディオ録音再生装置は、録音再生の機能を有する部分とパソコンやスピーカと接続する各端子およびスイッチ手段を有する充電台とが着脱可能である。録音再生部と充電台とを切り離したとき、録音再生部はポータブル機器として機能し、充電台はパソコンのオーディオ周辺機器として機能する。
【発明の効果】
【００１４】
この発明によれば、例えばオーディオ録音再生装置が録音状態の場合、外部から入力されるオーディオ信号をスピーカに出力することもでき、内部の録音モニター信号をスピーカに出力することもできる。一方で、オーディオ録音再生装置が再生状態の場合であっても、外部から入力されるオーディオ信号をスピーカに出力することもでき、内部の再生オーディオ信号をスピーカに出力することもできる。
【００１５】
したがって、セレクタ装置のような録音再生装置以外の装置を用いることなく、パソコンと常時接続した状態でスピーカに出力するオーディオ信号を容易に切り替えることができる。
【００１６】
また、この発明によれば、記録手段と再生手段とを備えた録音再生部と、入力端子、スピーカ端子、増幅手段およびスイッチ手段を備えた充電台と、が着脱可能とすることで録音再生部だけをポータブル機器として持ち出すこともでき、充電台はパソコンと常時接続可能なリンクステーションとして活用もできる。
【発明を実施するための最良の形態】
【００１７】
以下、図を用いてこの発明のオーディオ録音再生装置の実施形態である録音再生システムでの動作について説明する。
【００１８】
図１は録音再生システムの構成を示す図である。パソコン１０１はライン出力端子１とライン入力端子５を備えており、録音再生アプリケーション等で信号処理を行い、ハードディスクに音楽データとして記録したり、記録した音楽データを再生することができる。オーディオ録音再生装置２０１はライン入力端子２、スピーカ出力端子３およびライン出力端子６を備えており、音楽データ等のオーディオ信号をＭＤ等の記録媒体に記録したり、ＭＤに記録されている音楽データを再生することができる。
図１においては、パソコン１０１のライン出力端子１とオーディオ録音再生装置２０１のライン入力端子２が接続されており、パソコン１０１からのオーディオ信号がオーディオ録音再生装置２０１に入力される。また、パソコン１０１のライン入力端子５とオーディオ録音再生装置２０１のライン出力端子６も接続されており、オーディオ録音再生装置２０１からのオーディオ信号がパソコン１０１に入力される。さらに、オーディオ録音再生装置２０１のスピーカ出力端子３とスピーカ１０２のスピーカ入力端子４が接続されており、オーディオ録音再生装置２０１からのオーディオ信号がスピーカ１０２に入力される。
【００１９】
図２はオーディオ録音再生装置２０１のブロック図である。オーディオ録音再生装置２０１は、音楽データなどを記録する記録媒体７、入力されたオーディオ信号を音楽データに変換する記録手段８、記録媒体７に記録されている音楽データを読み出してオーディオ信号に変換する再生手段９、オーディオ信号を増幅する増幅手段１０および入力端子２または再生手段９のいずれか一方を選択的に増幅手段１０に接続するスイッチ手段１１を有している。記録媒体７は例えばＭＤ等の光磁気ディスクである。記録手段８はＡ／Ｄ変換機能および圧縮エンコーダ機能を有している。また、再生手段９は伸張デコーダ機能およびＤ／Ａ変換機能を有している。圧縮はＡＴＲＡＣ（ＡｃｏｕｓｔｉｃＴｒａｎｓｆｅｒｒｅｄＡｄａｐｔｅｄＣｏｄｉｎｇ）方式にて施される。
【００２０】
記録手段８では入力端子２から入力されたアナログオーディオ信号を圧縮されたデジタルデータとして記録媒体７に供給するとともに、このオーディオ信号を再生手段９にモニタ信号として供給する。再生手段９では記録媒体７に記録されている圧縮されたデジタルデータをアナログオーディオ信号としてライン出力端子６に供給するとともに、スイッチ手段１１にもアナログオーディオ信号を供給する。
【００２１】
オーディオ録音再生装置２０１が録音状態の時は、パソコン１０１のライン出力端子から出力されたアナログオーディオ信号がオーディオ録音再生装置２０１のライン入力端子２を介して記録手段８に供給される。なお、ここでいう録音状態とは、記録手段８が動作している状態のことである。ライン入力端子２から供給されたアナログオーディオ信号は記録手段８を介して記録媒体７に圧縮デジタルデータとして記録される。同時に記録手段８からのモニタ信号が再生手段９を介してライン出力端子６とスイッチ手段１１に供給される。スイッチ手段１１では、ライン入力端子２から供給されるパソコン１０１の再生アナログオーディオ信号と、再生手段９から供給される録音モニタ信号を選択的に増幅手段１０に接続することができる。つまり、スピーカ出力端子３に出力するオーディオ信号は、パソコン１０１の再生オーディオ信号と、オーディオ録音再生装置内部の録音モニタ信号のどちらかを選択することができる。
【００２２】
なお、スイッチ手段１１は手動によって容易に切り替えることができるものとする。
【００２３】
一方で、オーディオ録音再生装置２０１が再生状態の時には、再生手段９は記録媒体７に記録されている圧縮デジタルデータを、アナログオーディオ信号としてライン出力端子６とスイッチ手段１１に供給する。この状態でも、スイッチ手段１１では、再生手段９から供給されるアナログオーディオ信号と、ライン入力端子２から供給されるパソコン１０１のアナログオーディオ信号を選択的に増幅手段１０に接続することができる。例えばオーディオ録音再生装置２０１で再生し、パソコン１０１が録音状態であれば、ライン入力端子２にはパソコン１０１の録音モニタ信号が供給される。この場合、スピーカ出力端子３に出力するオーディオ信号は、パソコン１０１から入力される録音モニタ信号と、オーディオ録音再生装置２０１内部の再生オーディオ信号のどちらかを選択することができる。
【００２４】
なお、オーディオ録音再生装置２０１が再生状態であり、パソコン１０１も再生状態である場合には、パソコン１０１のライン入力端子５にはオーディオ録音再生装置２０１の再生オーディオ信号が入力され、パソコン１０１のライン出力端子１からは、パソコン１０１を介したオーディオ録音再生装置２０１の再生オーディオ信号とパソコン１０１の再生オーディオ信号が同時に出力される。この場合、スピーカ出力端子３には、オーディオ録音再生装置２０１内部の再生オーディオ信号だけを出力することもでき、パソコン１０１を介したオーディオ録音再生装置２０１の再生オーディオ信号とパソコン１０１の再生オーディオ信号の両方を同時に出力することもできる。
【００２５】
上記のようにオーディオ録音再生装置２０１とパソコン１０１を常時接続した状態であっても、スピーカ出力端子３に出力するオーディオ信号を、オーディオ録音再生装置２０１内部の録音再生信号とパソコン１０１の外部入力信号とで容易に切り替えることができる。
【００２６】
なお、ライン入力端子２にデジタルオーディオ信号が入力される場合には、増幅手段１０とスイッチ手段１１の間にＤ／Ａ変換器を備える構成とすることで、上記と同様の動作をすることができる。
【００２７】
図３は録音再生システムの別の構成を示す図である。この構成においては、オーディオ録音再生装置は、録音再生部２０３と、充電台２０２とが着脱可能である。充電台２０２は録音再生部２０３装着時に、録音再生部２０３に内蔵される充電池を充電することができる。充電台２０２は入力側コネクタ端子１２ａと出力側コネクタ端子１３ａを備えており、録音再生部２０３の入力側コネクタ端子１２ｂと出力側コネクタ端子１３ｂに接続される。
図３においては、パソコン１０１のライン出力端子１と充電台２０２のライン入力端子２が接続されており、パソコン１０１からのオーディオ信号が充電台２０２に入力される。また、パソコン１０１のライン入力端子５と充電台２０２のライン出力端子６も接続されており、充電台２０２からのオーディオ信号がパソコン１０１に入力される。さらに、充電台２０２のスピーカ出力端子３とスピーカ１０２のスピーカ入力端子４が接続されており、充電台２０２からのオーディオ信号がスピーカ１０２に入力される。
【００２８】
充電台２０２に録音再生部２０３が装着されている状態では、図１に示したオーディオ録音再生装置と同様の動作を示すことができ、音楽データ等のオーディオ信号をＭＤ等の記録媒体に記録し、再生することができる。
【００２９】
図４は録音再生部と充電台のブロック図である。録音再生部２０３は入力側コネクタ端子１２ｂ、記録手段８、記録媒体７、再生手段９および出力側コネクタ端子１３ｂを備えている。録音再生部２０３単体であっても外部からのアナログオーディオ信号を記録媒体７に音楽データとして記録することができ、記録媒体７に記録されている音楽データを読み出して再生することができる。一方、充電台２０２はライン入力端子２、入力側コネクタ端子１２ａ、出力側コネクタ端子１３ａ、ライン出力端子６、スイッチ手段１１、増幅手段１０、およびスピーカ出力端子３を備えている。充電台２０２単体であってもライン入力端子２に入力されるアナログオーディオ信号をスイッチ手段１１と増幅手段１０を介してスピーカ端子３に出力することができる。ここで、録音再生部２０３が分離して充電台２０２単体となった時点で自動的にライン入力端子２と増幅手段１０を接続するようにしてもよい。また、充電台２０２に録音再生部２０３が装着されている状態では、図２に示したオーディオ録音再生装置と同様の動作をすることができ、録音再生部２０３の録音再生信号、あるいはパソコン１０１からのアナログオーディオ信号を選択的にスピーカ端子３に出力することができる。
【００３０】
上記のようなオーディオ録音再生装置の場合、録音再生部２０３をポータブル機器として容易に持ち出すことが可能であり、充電台２０２はパソコン装置１０１と常時接続可能なリンクステーションとして活用することができる。
【００３１】
なお、図４に示したオーディオ録音再生装置において、ライン入力端子２にデジタルオーディオ信号が入力される場合であっても、増幅手段１０とスイッチ手段１１の間にＤ／Ａ変換器を備える構成とすることで、上記と同様の動作をすることができる。
【図面の簡単な説明】
【００３２】
【図１】録音再生システムの構成を示す図
【図２】オーディオ録音再生装置のブロック図
【図３】録音再生システムの別の構成を示す図
【図４】録音再生部と充電台のブロック図
【符号の説明】
【００３３】
１−パソコンのライン出力端子
２−オーディオのライン入力端子
３−オーディオのスピーカ出力端子
４−スピーカ入力端子
５−パソコンのライン入力端子
６−オーディオのライン出力端子
７−記録媒体
８−記録手段
９−再生手段
１０−増幅手段
１１−スイッチ手段
１２ａ−充電台の入力側コネクタ端子
１２ｂ−録音再生部の入力側コネクタ端子
１３ａ−充電台の出力側コネクタ端子
１３ｂ−録音再生部の出力側コネクタ端子
１０１−パソコン
１０２−スピーカ
２０１−オーディオ録音再生装置
２０２−充電台
２０３−録音再生部
【図１】
2005339723.tif 000003
【図２】
2005339723.tif 000004
【図３】
2005339723.tif 000005
【図４】
2005339723.tif 000006